(57)【要約】【課題】排水性及び植栽性が良好な花壇を簡単に形成できるようにする。【解決手段】保水材４を充填する複数の保水トレー１を並設して保水材層を形成し、この保水材層を複数のベース材２で囲んでベース枠を形成し、このベース枠の上に複数の花壇区画材３を設置して上記保水材層を囲む区画壁を形成する。ベース材２に多数の透孔及び脚部を設ける。【選択図】    図２
2005073587.tif 000002
【特許請求の範囲】
【請求項１】
設置面に並設され、保水材が充填されて保水材層を形成する複数の保水トレーと、
脚部を有し、上記保水材層を周回するベース枠を形成するように上記設置面に並設される複数のベース材と、
上記保水材層を囲み且つ該保水材層よりも上面が高くなるように上記ベース枠上に設けられる複数の花壇区画材とを備え、
上記花壇区画材で囲まれた上記保水材層の上が植栽部とされることを特徴とする緑化ユニット。
【請求項２】
請求項１において、
相隣る上記保水トレー同士を離脱可能に連結するジョイント手段と、
相隣る上記ベース材同士を離脱可能に連結するジョイント手段と、
上記保水トレーと上記ベース材とを離脱可能に連結するジョイント手段と、
上記ベース材と上記花壇区画材とを離脱可能に連結するジョイント手段とを備えていることを特徴とする緑化ユニット。
【請求項３】
請求項２において、
上記保水トレー同士を連結するジョイント手段、上記ベース材同士を連結するジョイント手段、並びに上記ベース材と上記保水トレーとを連結するジョイント手段はいずれも、同じ形態の第１ジョイント要素と、該第１ジョイント要素に係合する同じ形態の第２ジョイント要素とからなり、
上記保水トレー及び上記ベース材には、複数の第１ジョイント要素と複数の第２ジョイント要素とがそれぞれ周方向に間隔をおいて設けられ、
上記ベース材の第１ジョイント要素及び第２ジョイント要素が、該ベース材同士の連結と、該ベース材と上記保水トレーとの連結とに選択的に用いられることを特徴とする緑化ユニット。
【発明の詳細な説明】
【技術分野】
【０００１】
本発明は、建物のバルコニー、ベランダ、屋上等に設置することに適した緑化ユニットに関する。
【背景技術】
【０００２】
この種の緑化ユニットとして、合成樹脂によってボックス状に形成したユニットケースの底部に保水材収容部が設けられ、この保水材収容部の上に透水性シートを介して植栽用の土壌を充填するようにしたものが知られている（特許文献１参照）。このユニットケースの側面には上下方向に延びる断面Ｔ字状の凸部と、この凸部が嵌まる凹溝とが形成されていて、この凸部と凹部との嵌合によってユニットケース同士を連結できるようになされている。
【０００３】
【特許文献１】特開２００２−３６００７６号公報
【発明の開示】
【発明が解決しようとする課題】
【０００４】
上記緑化ユニットでは、連結した複数のユニットケースをブロック等の区画材で囲んで花壇の形態をとろうとしても、土壌はユニットケース別に充填されるから、花壇内側の土壌がユニットケースの周壁によって複数の部分に仕切られた形になり、草木の植栽位置、植栽することができる草木の種類が限定されてしまう。
【０００５】
また、区画材で周囲を囲った場合、この区画材によってユニットケースからの排水性が損なわれる。さらに、花壇用の区画材としては、それが位置ずれしないようにコンクリートブロック、煉瓦等の比重の大きい重量物を採用する必要があり、バルコニー、ベランダ等に施工することには適しない。
【０００６】
そこで、本発明は、区画材で周囲から区画した花壇内部に土壌を仕切なく一面に充填することができる花壇形態の緑化ユニットを提供することを課題とする。
【０００７】
また、本発明の課題は、排水性を良好な花壇形態の緑化ユニットを提供することにある。
【０００８】
また、本発明の課題は、軽量の区画材を用いても、該区画材の位置ずれを生じないようすることにある。
【課題を解決するための手段】
【０００９】
本発明は、このような課題に対して、保水材を収容する保水トレー群の周囲に排水性を考慮したベース材を配置し、このベース材の上に花壇区画材を設置するようにした。
【００１０】
すなわち、本発明は、設置面に並設され、保水材が充填されて保水材層を形成する複数の保水トレーと、
脚部を有し、上記保水材層を周回するベース枠を形成するように上記設置面に並設される複数のベース材と、
上記保水材層を囲み且つ該保水材層よりも上面が高くなるように上記ベース枠上に設けられる複数の花壇区画材とを備え、
上記花壇区画材で囲まれた上記保水材層の上が植栽部とされることを特徴とする。
【００１１】
従って、上記花壇区画材によって囲まれた植栽部に土壌を仕切なく一面に充填することができ、種々の草木を適宜の間隔で植栽することが容易になる。そうして、保水トレーからオーバーフローする水は保水トレーとベース材との隙間から該ベース材の下に流れ、外側へ排出される。
【００１２】
好ましいのは、相隣る上記保水トレー同士を離脱可能に連結するジョイント手段と、相隣る上記ベース材同士を離脱可能に連結するジョイント手段と、上記保水トレーと上記ベース材とを離脱可能に連結するジョイント手段と、上記ベース材と上記花壇区画材とを離脱可能に連結するジョイント手段とを備えていることである。
【００１３】
これにより、保水トレー、ベース材及び花壇区画材が相互に連結された状態になるから、花壇区画材を軽量にしてもその位置ずれが防止され、重量物の設置が制限されるバルコニー、ベランダ、或いは建物の屋上への設置が容易になる。
【００１４】
好ましいのは、上記保水トレー同士を連結するジョイント手段、上記ベース材同士を連結するジョイント手段、並びに上記ベース材と上記保水トレーとを連結するジョイント手段はいずれも、同じ形態の第１ジョイント要素と、該第１ジョイント要素に係合する同じ形態の第２ジョイント要素とからなり、
上記保水トレー及び上記ベース材には、複数の第１ジョイント要素と複数の第２ジョイント要素とがそれぞれ周方向に間隔をおいて設けられていることである。
【００１５】
これにより、上記ベース材の第１ジョイント要素及び第２ジョイント要素を、該ベース材同士の連結と、該ベース材と上記保水トレーとの連結とに選択的に用いることができ、連結作業時の錯誤がなくなって施工性が向上する。
【発明の効果】
【００１６】
以上のように、本発明によれば、保水材を充填する複数の保水トレーを並設して保水材層を形成し、この保水材層を複数のベース材で囲んでベース枠を形成し、このベース枠の上に複数の花壇区画材を設置して上記保水材層を囲むようにするとともに、上記ベース材に脚部を設けたから、排水性を良好にしながら、上記花壇区画材によって囲まれた植栽部に種々の草木を適宜の間隔で植栽することができる。
【００１７】
また、相隣る上記保水トレー同士を離脱可能に連結し、相隣る上記ベース材同士を離脱可能に連結するとともに、上記ベース材と上記保水トレーとを離脱可能に連結し、上記ベース材と上記花壇区画材とを離脱可能に連結するようにしたものによれば、この花壇区画材を軽量にしてもその位置ずれが防止され、重量物の設置が制限されるバルコニー、ベランダ、或いは建物の屋上への当該緑化ユニットの設置が容易になる。
【００１８】
また、上記保水トレー及び上記ベース材に、互いに係合可能な複数の第１ジョイント要素と複数の第２ジョイント要素とをそれぞれ周方向に間隔をおいて設けたものによれば、上記ベース材の第１ジョイント要素及び第２ジョイント要素を、該ベース材同士の連結と、該ベース材と上記保水トレーとの連結とに選択的に用いることができ、施工性が向上する。
【発明を実施するための最良の形態】
【００１９】
以下、本発明の実施形態を図面に基づいて詳細に説明する。
【００２０】
（実施形態１）
図１は本発明に係る緑化ユニットを用いて構築した花壇を示し、図２は花壇を一部切り欠いて示す。緑化ユニットは、ベランダ等の設置面に並設されパーライト等の保水材４が充填されて保水材層を形成する複数の保水トレー１と、上記保水材層を周回するベース枠を形成するように上記設置面に並設される複数のベース材２と、上記保水材層を囲むように上記ベース枠上に設けられる複数の花壇区画材（ブロック）３とを備えてなり、花壇区画材３で囲まれた保水材層の上が植栽部とされる。
【００２１】
すなわち、保水材層の上に透水性シート５が敷かれて、該透水性シート５の周辺部が花壇区画材３に沿って立ち上げられ、この透水性シート５の上に草木の植栽のための土壌６が充填される。
【００２２】
保水トレー１、ベース材２及び花壇区画材３は、いずれも合成樹脂によって形成されている。合成樹脂としては、ポリプロピレンに代表されるオレフィン系のものがコスト及び性能面から好ましい。
【００２３】
（保水トレーについて）
図３及び図４に示すように、保水トレー１は、長辺が短辺の２倍の長さになった長方形状のものであって、脚部を有し、また、トレー内の中央には仕切壁１１が設けられている。保水トレー１の周壁には排水部（オーバフロー部）１２が設けられている。この排水部１２は、保水材４の流出を阻止するべく上方に開口した複数のスリットによって形成されている。また、仕切壁１１の上端は排水部１２のスリットの下端よりも低くなっている。
【００２４】
そうして、保水トレー１の側面には、相隣る保水トレー同士を離脱可能に連結するための互いに係合可能な第１ジョイント要素１３と第２ジョイント要素１４とがそれぞれ複数ずつ周方向に間隔をおいて設けられている。すなわち、保水トレー１の短辺には第１ジョイント要素１３と第２ジョイント要素１４とが辺の長手方向に間隔をおいて１つずつ設けられ、保水トレー１の長辺には第１ジョイント要素１３と第２ジョイント要素１４とが辺の長手方向に間隔をおいて交互に２つずつ設けられている。短辺側に設けられた相隣る第１ジョイント要素１３と第２ジョイント要素１４との間隔と、長辺側に設けられた相隣る第１ジョイント要素１３と第２ジョイント要素１４との間隔とは互いに同じである。
【００２５】
第１ジョイント要素１３は、保水トレー１の側面より側方へ突出した首部と、該首部の先端に繋がった頭部とよりなる。本例では頭部は板状に形成されており、そのため、第１ジョイント要素１３は略Ｔ字状になっている。一方、第２ジョイント要素１４は、保水トレー１の側面より側方へ突出した互いに向かい合う一対のＬ字状の突出部によって、上記第１ジョイント要素１３が嵌まる、底が幅広になったＴ字溝状に形成されている。第２ジョイント要素１４は、上下に開放されている。
【００２６】
また、図４に示すように、第１ジョイント要素１３の先端面（頭部の頂面）には係合凹部１３ａが形成されている。一方、第２ジョイント要素１４の底面（保水トレー１の側面）には、第１ジョイント要素１３が該第２ジョイント要素１４に嵌められて相隣る保水トレー１，１が同じ高さになったときに、上記係合凹部１３ａに嵌まる係合凸部１４ａが形成されている。
【００２７】
（ベース材について）
ベース材２は、図５（平面図）及び図６（底面図）に示すように、１辺の長さが保水トレー１の短辺の長さと同じになった正方形状のベース材本体２１と、ベース材本体２１に切り離し可能に一体に設けられた複数（本例では４つ）の高さ調整材２２とを備えてなる。ベース材２は保水トレー１よりも低い高さに形成されている。
【００２８】
ベース材本体２１は、正方形状の枠２３と、この枠２３に周縁が一体に繋がった板状部２４とを備え、図７（上方より視た斜視図）に示すように、板状部２４の上面と枠２３の上面とには前者が高くなるように段差が設けられている。板状部２４にはその表裏に貫通する多数の透孔が網目状に形成されている。枠２３の各辺には、第１ジョイント要素１３と第２ジョイント要素１４とが各辺の長手方向に間隔をおいて設けられている。また、ベース材本体２１の下面には、図８（下方より視た斜視図）にも示すように、複数の脚部２５が設けられている。
【００２９】
また、板状部２４の中央には、花壇区画材３をねじによって結合するための貫通孔２６が形成されている。さらに、板状部６の表側の各辺の中央部には、花壇区画材３を位置決め保持するための区画材係合凹部２７が形成されている。この係合凹部２７は、上方に開口しているとともに、側方に開口している。
【００３０】
ベース材２の第１ジョイント要素１３及び第２ジョイント要素１４は、保水トレー１の第１ジョイント要素１３及び第２ジョイント要素１４と同じ形態のものであり、相隣る第１ジョイント要素１３と第２ジョイント要素１４との間隔も保水トレー１の当該間隔と同じになされている。ベース材２の第１ジョイント要素１３に設けられた係合凹部１３ａと、第２ジョイント要素１４に設けられた係合凸部１４ａとは、相隣るベース材本体２１，２１の表面が面一になったときに係合するように設けられている。
【００３１】
図８に示すように、脚部２５は、板状部２４の中央貫通孔２６を除いて、該板状体２４の各対角線上に間隔をおいて６つずつ、板状体２４の各辺の中央に１つずつ、計１６本設けられていて、板状部２４の下面より突出している。本例の脚部２５は円筒状であって、下面に嵌合穴２５ａが開口している。
【００３２】
高さ調整材２２は、本例の場合、板状部２４の中央貫通孔１２の回りに４つ配設されていて、各々は当該板状部２４に一体に繋がっている。すなわち、高さ調整材２２は、図８及び図９に板状部２４から分離したものを示すように、円筒状のものであって、上面に脚部２５の嵌合穴２５ａに嵌合する小径の嵌合凸部２２ａを備えている。また、高さ調整材２２の下面には、図１０に示すように当該高さ調整材同士を連結するために上記嵌合凸部２２ａを嵌合する嵌合穴２２ｂが開口している。
【００３３】
そうして、高さ調整材２２は、板状部２４に形成された表裏に貫通する収容部２８に収容され、この収容部２８を構成する壁に切断予定部２９，２９を介して繋がっている。切断予定部２９，２９は、板状部２４の板圧方向に細長く延びた薄肉のものであって、高さ調整材２２を挟んで相対する位置に設けられている。
【００３４】
高さ調整材２２は、図８に示すように、板状部２４に一体に設けられた状態で、その上部が板状部２４の下面より突出している。その突出高さは脚部２５の突出高さよりも低くなっている。
【００３５】
従って、ベース材２を不陸のある設置面に施工する場合、破断予定部２９にカッターを入れて高さ調整材２２をベース材本体２１から切り離し、これを、図８に示すように設置面の凹部に配置される脚部２５に継ぎ足す。これによって、不陸を吸収し、当該ベース材２を他のベース材２と同じ高さで水平に且つ安定した状態に設置することができる。高さ調整材２２の脚部２５への継ぎ足しは、高さ調整材２２の嵌合凸部２２ａを脚部２５の下面の嵌合穴２５ａに嵌め込むだけでよく、その施工は容易である。
【００３６】
設置面の凹部が深いときは図１０に示すように複数の高さ調整材２２を脚部２５に継ぎ足せばよい。不陸の程度に応じてベース材２の高さを微調整するには、上記高さ調整材２２の一部をカッター等で図１１に示すように切除して、高さ調整材２２の寸法を調整する。なお、図１１において、２２Ａは寸法を短くした高さ調整材、２２Ｂは切除片を示す。
【００３７】
また、設置面に局部的に高くなった部分があり、これが脚部２５と干渉するときは、当該脚部２５の一部を切除して、その寸法を短くすることによって調整すればよい。
【００３８】
なお、高さ調整材２２はベース材本体３とは別に成形してもよい。
【００３９】
（花壇区画材）
花壇区画材３は、幅がベース材２の辺の長さと同じであり、長さがベース材２の辺の長さの２倍になった直方体状のものであって、図１２に示すように内部は空洞になって下面に開口している。この空洞は中央の仕切壁３１によって２つの断面正方形の空洞部に仕切られており、各空洞部はベース材２の板状部２４に嵌まる大きさに形成されている。すなわち、ベース材２の板状部２４と花壇区画材３の空洞部の開口部とは、ベース材２花壇区画材を離脱可能に連結するジョイント手段を構成している。そうして、各空洞部を構成する４つの内壁面の中央位置に区画材３の高さ方向に延びる突条３２が設けられている。この突条３２はベース材２の区画材係合凹部２７に嵌まるものである。
【００４０】
（花壇の組立）
図２に示すように、ベランダ等の設置面に複数の保水トレー１をジョイント要素１３，１４によって順次連結しながら適宜の形状になるように並べる。図２では９枚の保水トレー１を縦横に連結して長方形状に並べている。次に当該保水トレー群の周囲に複数のベース材２を１列に並んで周回するように配置し、且つ相隣るベース材２，２同士をジョイント要素１３，１４によって連結するとともに、保水トレー１とベース材２とについてもジョイント要素１３，１４によって連結する。
【００４１】
図１３は第１ジョイント要素１３と第２ジョイント要素１４との連結態様をベース材２の例で示している。第２ジョイント要素１４が上下に開放されているから、第１ジョイント要素１３を上下いずれの方からでも第２ジョイント要素１４に嵌めることができる。また、第１ジョイント要素１３を第２ジョイント要素１４に嵌めると、係合凸部１４ａと係合凹部１３ａとが係合することによって、相隣るベース材２，２の表面が面一になる。これにより、ベース材同士の位置決めが図れ、しかも、この係合によって、大きな外力を加えない限り当該連結が外れなくなる。
【００４２】
保水トレー１，１同士のジョイント要素１３，１４による連結、並びに保水トレー１とベース２とのジョイント要素１３，１４による連結もベース材２の場合と同じであり、第１ジョイント要素１３を第２ジョイント要素１４に嵌めると、係合凸部１４ａと係合凹部１３ａとが係合することによって、大きな外力を加えない限り当該連結が外れなくなる。また、相隣る保水トレー１，１は互いの高さが同じになり、ベース材２は保水トレー１よりも高さが低くなる。
【００４３】
上記連結作業に関し、保水トレー１側のジョイント要素１３，１４とベース材２側のジョイント要素１３，１４とが同じ形態になっており、しかもベース材２の各辺にジョイント要素１３，１４が設けられているから、ベース材２は、そのいずれの辺であっても、他のベース材２と保水トレー１とに選択的に連結することができる。従って、ベース材２，２同士の連結及び保水トレー１とベース材２との連結にあたって、ベース材２の方向性を気にする必要がなく、作業性が良い。
【００４４】
次に、上記ベース材２によって構成されたベース枠に複数の花壇区画材３を取り付けていき、保水トレー群を周回する花壇の区画壁を形成する。すなわち、花壇区画材３は、その下面に開口した各空洞部をベース材２の板状部２４に嵌め、且つ突条３２を区画材係合凹部２７に嵌めることにより、ベース枠に対して位置ずれしないように保持する。
【００４５】
この場合、上記保水トレー１，１同士の連結、ベース材２，２同士の連結、並びに保水トレー１とベース材２との連結により、保水トレー群とベース枠とが型くずれしないように一体になっているから、花壇区画材３のベース枠への取り付けが容易になり、しかも、当該取り付けにより、花壇区画材３は保水トレー群及びベース枠と一体になる。
【００４６】
必要に応じて、花壇区画材３の上壁に取り付けて下方へ突出させたボルト３３をベース材２の中央貫通孔２６に挿入し、これにナットを適用することにより、花壇区画材３をベース材２に固定する。
【００４７】
次に、上記保水トレー群の各保水トレー１に保水材４を充填して保水材層を形成し、この保水材層の上に透水性シート５を敷く。この透水性シート５の周辺部を花壇区画材３に沿って立ち上げ、この透水性シート５の上に草木の植栽のための土壌６を充填して花壇を完成する。
【００４８】
土壌６に散水すると、その水は土壌に浸透して保水トレー１に受けられて保水材４に保持される。余分な水は各保水トレー１の排水部１２からオーバーフローし、ベース材２の本体部下面と設置面との隙間を通って、或いは保水トレー１のトレー部下面と設置面との隙間から上記ベース材２の下の隙間を通って外側へ排水される。また、土壌６は花壇区画壁内部に全面にわたって連続した状態で充填され、仕切壁がないことから、草木の植栽が容易になる。
【００４９】
（実施形態２）
本形態については図１４乃至図１６に示す。実施形態１との相違点は、積重ね区画材４１を用いて花壇の区画壁を高くしたことにあり、他は実施形態１と同じである。
【００５０】
すなわち、積重ね区画材４１は、図１５に示すように、直方体状であって、上面に２つの正方形状嵌合部４２，４２を備え、図１６に示すように内部は空洞になっている。この空洞は上記花壇区画材３と同様に仕切壁３１によって２分され、各空洞部を構成する内壁面には突条３２が設けられている。積重ね区画材４１の上面の嵌合部４２は、ベース材２の板状部２４と外径が実質的に同じに形成されていて、その各辺の中央に上記突条３２が嵌まる嵌合溝４３が形成されている。また、嵌合部４２の中央には貫通孔４４が形成されている。
【００５１】
本例の場合、一段目の各積重ね区画材４１は、その下面に開口した各空洞部がベース材２の板状部２４に嵌められ、且つ突条３２が区画材係合凹部２７に嵌められることにより、ベース枠に対して位置ずれしないように保持されている。この一段目の積重ね区画材４１の上に２段目の積重ね区画材４１が千鳥状に配設されて、その下面に開口した各空洞部が１段目の積重ね区画材４１の嵌合部４２に嵌められ、且つ突条３２が嵌合溝４３に嵌められて、この一段目の積重ね区画材４１に位置ずれしないように保持されている。
【００５２】
さらに、上記２段目の積重ね区画材４１の上に花壇区画材３が千鳥状に配設されて、その下面に開口した各空洞部が２段目の積重ね区画材４１の嵌合部４２に嵌められ、且つ突条３２が嵌合溝４３に嵌められて、この一段目の積重ね区画材４１に位置ずれしないように保持されている。
【００５３】
必要に応じて、花壇区画材３の上壁に取り付けて下方へ突出させたボルトを積重ね区画材４１の各貫通孔４４に通してベース材２の中央貫通孔２６に挿入し、これにナットを適用することにより、花壇用区画材３を積重ね区画材４１と共にベース材２に固定する。
【００５４】
（ベース材の他の例）
図１７（平面図）及び図１８（底面図）に示すように、本形態のベース材６１は、短辺に対して長辺が２倍の長さになった長方形状をなし、長方形枠６２に実施形態１と同様の正方形状板状部２４が２つ並べて設けられている。長方形枠６２の短辺にはジョイント要素１３及びジョイント要素１４が１つずつ、長辺にはジョイント要素１３及びジョイント要素１４が交互に２つずつ設けられている。他は実施形態１と同じである。
【００５５】
なお、ベース材は長辺が短辺の３倍以上の長さの長方形状とすることができ、多角形、その他の形状にすることもできる。
【００５６】
（その他）
保水トレー１は、正方形状とすることができ、また、長辺が短辺の３倍以上の長さになった長方形状にすることができ、或いは多角形、その他の形状にすることもできる。
【００５７】
区画材３，４１は、平面形状が正方形状となるようにすることができ、また、長辺が短辺の３倍以上の長さになった長方形状にすることができ、或いは多角形、その他の形状にすることもできる。
【００５８】
また、ジョイント手段に関し、第１ジョイント要素１３側に係合凸部を設け、第２ジョイント要素１４側に係合凹部を設けるようにしてもよい。
【００５９】
また、上記実施形態では保水トレー及びベース材の各辺に第１ジョイント要素１３と第２ジョイント要素１４とを設けたが、２つの辺には第１ジョイント要素１３のみを設け、他の２つの辺には第２ジョイント要素１４のみを設けるようにしてもよい。また、各辺に設けるジョイント要素の数は問わない。
【図面の簡単な説明】
【００６０】
【図１】本発明の実施形態１に係る花壇の斜視図である。
【図２】同花壇を一部切り欠いて示す斜視図である。
【図３】同実施形態の保水トレーの平面図である。
【図４】同保水トレーの斜視図である。
【図５】同実施形態のベース材の平面図である。
【図６】同ベース材の底面図である。
【図７】同ベース材を上方より視た斜視図である。
【図８】同ベース材と高さ調整材とを下方より視た斜視図である。
【図９】同高さ調整材の斜視図である。
【図１０】２つの高さ調整材を連結した状態を示す斜視図である。
【図１１】高さ調整材を切断した状態を示す斜視図である。
【図１２】同実施形態の花壇区画材の斜視図である。
【図１３】ジョイント要素の嵌合態様を示す斜視図である。
【図１４】本発明の実施形態２に係る花壇の斜視図である。
【図１５】同実施形態の積重ね区画材を上方より視た斜視図である。
【図１６】同積重ね区画材を下方より視た斜視図である。
【図１７】ベース材の他の例を示す平面図である。
【図１８】同ベース材の底面図である。
【符号の説明】
【００６１】
１    保水トレー
２    ベース材
３    花壇区画材
４    保水材
５    透水性シート
６    土壌
１３    第１ジョイント要素
１４    第２ジョイント要素
６１    ベース材
【図１】
2005073587.tif 000003
【図２】
2005073587.tif 000004
【図３】
2005073587.tif 000005
【図４】
2005073587.tif 000006
【図５】
2005073587.tif 000007
【図６】
2005073587.tif 000008
【図７】
2005073587.tif 000009
【図８】
2005073587.tif 000010
【図９】
2005073587.tif 000011
【図１０】
2005073587.tif 000012
【図１１】
2005073587.tif 000013
【図１２】
2005073587.tif 000014
【図１３】
2005073587.tif 000015
【図１４】
2005073587.tif 000016
【図１５】
2005073587.tif 000017
【図１６】
2005073587.tif 000018
【図１７】
2005073587.tif 000019
【図１８】
2005073587.tif 000020